(57)【特許請求の範囲】
【請求項１】
光コネクタプラグを受容する一対のポートを有する光レセプタクルと、
電気信号を光信号に変換する光送信サブアセンブリ、及び、光信号を電気信号に変換する光受信サブアセンブリを含む複数の光サブアセンブリと、
前記光レセプタクルの前記一対のポートに挿入される光コネクタプラグと前記複数の光サブアセンブリとを光学的に結合するための一対の光ファイバと、
前記一対のポートを露出させる開口が形成された前面壁と、前記前面壁に直交する第１の方向において前記開口に連続しており、前記光レセプタクルを搭載する第１の領域と、前記複数の光サブアセンブリを搭載する第２の領域と、前記一対の光ファイバを引き回すための第３の領域と、前記第１の方向に直交する第２の方向に延在し、前記第１の領域を前記第２の領域の側から画成する第１の壁、及び、前記第１の方向に延在し、前記第２の方向から前記第１の領域を画成する一対の第２の壁を含む区画壁と、を有し、前記一対のポートが前記第１の方向と前記第２の方向の間の方向に延在するよう、前記第１の領域において前記光レセプタクルを搭載可能なハウジングと、
を備え、
前記一対の光ファイバを通すための一対の第１の溝が、前記第１の方向と前記第２の方向の間の第３の方向に延びるように前記区画壁に形成されている、
光トランシーバ。
【請求項２】
前記区画壁には、前記第１の方向に対して前記第３の方向とは線対称な方向に延びる別の一対の第１の溝が形成されている、請求項１に記載の光トランシーバ。
【請求項３】
前記区画壁には、前記第１の方向に延びる一対の第２の溝であり前記第２の方向において配列された該一対の第２の溝が形成されている、請求項１又は２に記載の光トランシーバ。
【請求項４】
前記第１の領域を前記第２の領域から電磁的に遮蔽するための導電性のシールド部材であり、前記一対の第２の溝を閉じるように前記光レセプタクルと前記第１の壁との間に挟持される該シールド部材を更に備える、
請求項３に記載の光トランシーバ。
【請求項５】
前記光レセプタクルは、前記第１の壁の一部分であり前記一対の第２の溝のうち一方が形成された該一部分に対面する後面を含み、
前記シールド部材は、板金製の第１の部材と、弾性を有し該第１の部材の一主面に取り付けられたシート状の第２の部材とを含み、
前記シールド部材は、前記第１の部材が前記後面に接するよう前記光レセプタクルに取り付けられる、
請求項４に記載の光トランシーバ。
【請求項６】
前記ハウジングの前記第１の領域は、前記第１の方向及び前記第２の方向に直交する軸線を中心に前記光レセプタクルを回転可能に支持する支持手段を有する、請求項１に記載の光トランシーバ。
【請求項７】
前記支持手段は、前記軸線に沿って設けられた凸部及び凹部の一方であり、
前記光レセプタクルは、前記支持手段によって該光レセプタクルを軸支するための凸部及び凹部の他方を有する、
請求項６に記載の光トランシーバ。
【請求項８】
一方の開口端及び他方の開口端まで延在する中空のガスケットを含む導電性のシールド部材を更に備え、
前記ガスケットは、前記第２の領域に前記一対の光ファイバを導くために前記区画壁によって画成された空間において前記一対の光ファイバが該ガスケット内を通るように、前記空間に嵌め込まれており、
前記ガスケットは、前記一方の開口端から前記他方の開口端までの間において、折り曲げられている、
請求項５に記載の光トランシーバ。
【請求項９】
前記一対の光ファイバの先端に付属した一対のスリーブであり、フランジ部と前記光レセプタクルの前記ポート内に挿入される先端部分とを含む該一対のスリーブと、
前記光レセプタクルに係合する押え部材と、
を更に備え、
前記光レセプタクルと前記押え部材が、それらの間に前記フランジ部を挟持する、
請求項１〜８の何れか一項に記載の光トランシーバ。
【発明の詳細な説明】
【技術分野】
【０００１】
本発明の実施形態は、光トランシーバ用のハウジング及び光トランシーバに関するものである。
【背景技術】
【０００２】
光トランシーバには、下記非特許文献１に記載されたものがある。非特許文献１に記載された光トランシーバでは、フロントカバーの開口から光レセプタクルのポートが露出されている。当該ポートは、フロントカバーの前面に直交する方向に延びた空間である。当該ポートには、光ファイバケーブルを内蔵した光コネクタプラグが外部から挿入される。
【先行技術文献】
【非特許文献】
【０００３】
【非特許文献１】"Cisco CRS-1 キャリア ルーティングシステム 10-Gigabit Ethernet Physical Layer Interface Module（PLIM）インストレーション ノート"、［online］、［平成２３年２月１７日検索］、インターネット〈URL：http://www.cisco.com/japanese/warp/public/3/jp/service/manual_j/rt/crs/crs10in/chapter01/6437_01.pdf〉
【発明の概要】
【発明が解決しようとする課題】
【０００４】
非特許文献１に記載された光トランシーバのポートに光コネクタプラグを装着すると、当該光コネクタプラグから延びる光ファイバケーブルは、フロントカバーの前面に直交する方向に延在することになる。したがって、フロントカバーの前方に光ファイバケーブルが延在するスペースとして大きなスペースが必要となり得る。
【０００５】
したがって、当技術分野においては、光トランシーバの前方における光ファイバケーブル用のスペースを小さくすることが要請されている。
【課題を解決するための手段】
【０００６】
本発明の一側面は、光トランシーバ用のハウジングに関するものである。このハウジングは、前面壁、第１の領域、第２の領域、第３の領域、及び、区画壁を備えている。前面壁には、光コネクタプラグを受容する光レセプタクルのポートを露出させるための開口が形成されている。第１の領域は、光レセプタクルを搭載する領域である。第１の領域は前面壁に直交する第１の方向において前記開口に連続している。第２の領域は、電気信号を光信号に変換する光送信サブアセンブリ、及び、光信号を電気信号に変換する光受信サブアセンブリを含む複数の光サブアセンブリを搭載する領域である。第３の領域は、光レセプタクルに挿入される光コネクタプラグと複数の光サブアセンブリとを光学的に結合するための一対の光ファイバを引き回すための領域である。区画壁は、第１の領域を画成する。区画壁は、第１の領域から第２の領域に向かう第１の方向において第１の領域を後方から画成する第１の壁と、第１の領域を側方から画成する一対の第２の壁と、を含む。第１の領域は、光レセプタクルのポートが第１の方向と一対の第２の壁が配列された第２の方向との間の方向に延在するように、当該光レセプタクルを搭載可能である。
【０００７】
このハウジングは、前面壁の開口に連続する第１の領域において、光レセプタクルのポートが第１の方向（即ち、前後方向）と第２の方向（即ち、幅方向）との間の方向に延在するように、光レセプタクルを搭載することが可能である。かかるハウジングを用いた光トランシーバによれば、光レセプタクルに光コネクタプラグが装着されると、当該光コネクタプラグの光ファイバケーブルが、ハウジングの前面壁に対して斜め方向に延びることとなる。その結果、光トランシーバの前方における光ファイバケーブル用のスペースが小さくなる。
【０００８】
一実施形態においては、区画壁には、第１の方向と第２の方向の間の第３の方向に延びる一対の第１の溝が形成されていてもよい。第３の方向は、第１の方向と第２の方向との間の方向であり、第１の方向に対して傾斜した所定の方向である。この実施形態のハウジングでは、光レセプタクルから延在する一対の光ファイバを一対の第１の溝内に通すことにより、当該一対の光ファイバを、第３の方向に延在させて区画壁を通過させることができる。したがって、一対の光ファイバに与える曲げを抑制しつつ、ポートが第３の方向に延在するよう光レセプタクルを配置することが可能となる。
【０００９】
一実施形態においては、区画壁には、第１の方向に対して第３の方向とは線対称な方向に延びる別の一対の第１の溝が形成されていてもよい。この実施形態のハウジングでは、光レセプタクルから延在する一対の光ファイバを一対の別の第１の溝内に通すことにより、当該一対の光ファイバを、第３の方向とは線対称な方向に延在させて区画壁を通過させることができる。したがって、この実施形態のハウジングには、一対の光ファイバに与える曲げを抑制しつつ、ポートが第３の方向とは線対称な方向に延在するよう光レセプタクルを配置することが可能となる。即ち、この実施形態のハウジングには、光レセプタクルを上下反転させて搭載することが可能である。その結果、光トランシーバの前方における光ファイバケーブルの引き出し方向を上記第３の方向とは線対称な方向に変更することが可能である。
【００１０】
一実施形態においては、区画壁には、第１の方向に延びる一対の第２の溝であり第２の方向において配列された当該一対の第２の溝が形成されていてもよい。この実施形態のハウジングでは、光レセプタクルから延在する一対の光ファイバを一対の第２の溝内に通すことにより、当該一対の光ファイバを、第１の方向に延在させて区画壁を通過させることが可能である。したがって、このハウジングには、上記第１の方向に延びるポートを有する光レセプタクルを搭載することも可能である。即ち、このハウジングは、異なる方向に延びるポートを有する異なる光レセプタクルに対して、共用され得る。
【００１１】
一実施形態においては、第１の領域は、第１の方向及び第２の方向に直交する方向に延びる軸線中心に前記光レセプタクルを回転可能に支持する支持手段を有していてもよい。この実施形態のハウジングよれば、光レセプタクルのポートの延在方向を第１の方向及び第２の方向の間で任意に傾斜させることが可能である。したがって、この実施形態のハウジングを用いた光トランシーバは、その前方において、光コネクタプラグの光ファイバケーブルを斜め方向に延在させることが可能である。
【００１２】
一実施形態においては、区画壁は、第１の領域と第２の領域とを接続する空間を画成していてもよく、前記軸線に平行な方向における当該空間の長さよりも第２の方向における当該空間の長さが長くてもよい。この実施形態のハウジングでは、光レセプタクルから延在する一対の光ファイバを、当該空間を介して第２の領域に導くことができる。また、この空間は第２の方向に幅広となっている。即ち、光レセプタクルの上記軸線中心の回転による光ファイバの揺動を受容するように当該空間が構成されている。したがって、光レセプタクルの回転に伴う光ファイバの移動が阻害されなくなっている。
【００１３】
また、本発明の別の側面は、光トランシーバに関するものである。この光トランシーバは、上述した一側面のハウジング、光レセプタクル、複数の光サブアセンブリ、及び、一対の光ファイバを備えている。光レセプタクルは、外部光コネクタプラグを受容する一対のポートを有する。ハウジングは、一対のポートが第１の方向と第２の方向の間の方向に延在するよう、第１の領域において光レセプタクルを搭載可能である。複数の光サブアセンブリは、電気信号を光信号に変換する光送信サブアセンブリ、及び、光信号を電気信号に変換する光受信サブアセンブリを含み、第２の領域に搭載される。一対の光ファイバは、光レセプタクルの一対のポートに挿入される光コネクタプラグと複数の光サブアセンブリとを光学的に結合するための光路を提供する。一対の光ファイバは、光レセプタクルの一対のポートから延在して第３の領域において引き回される。
【００１４】
この光トランシーバでは、ポートが第１の方向（即ち、前後方向）と第２の方向（即ち、幅方向）との間の方向に延在するよう、光レセプタクルがハウジングに搭載され得る。かかる光トランシーバによれば、光レセプタクルに光コネクタプラグが装着されると、当該光コネクタプラグの光ファイバケーブルが、ハウジングの前面壁に対して斜め方向に延びることとなる。その結果、光トランシーバの前方における光ファイバケーブル用のスペースが小さくなる。
【００１５】
一実施形態においては、区画壁には、第１の方向と第２の方向の間の第３の方向に延びる一対の第１の溝が形成されており、一対の光ファイバは、一対の第１の溝内を通っていてもよい。この実施形態の光トランシーバでは、光レセプタクルから延在する一対の光ファイバを一対の第１の溝内に通すことにより、当該一対の光ファイバを、第３の方向に延在させて区画壁を通過させることができる。したがって、一対の光ファイバに与える曲げを抑制しつつ、ポートが第３の方向に延在するよう光レセプタクルを配置することが可能となる。
【００１６】
一実施形態においては、区画壁には、第１の方向に対して第３の方向とは線対称な方向に延びる別の一対の第１の溝が形成されていてもよい。この実施形態の光トランシーバでは、光レセプタクルから延在する一対の光ファイバを一対の別の第１の溝内に通すことにより、当該一対の光ファイバを、第３の方向とは線対称な方向に延在させて区画壁を通過させることができる。したがって、この実施形態の光トランシーバにおいては、一対の光ファイバに与える曲げを抑制しつつ、ポートが第３の方向とは線対称な方向に延在するよう光レセプタクルを配置することが可能となる。即ち、この実施形態の光トランシーバには、光レセプタクルを上下反転させて搭載することが可能である。その結果、光トランシーバの前方における光ファイバケーブルの引き出し方向を上記第３の方向とは線対称な方向に変更することが可能である。
【００１７】
一実施形態においては、区画壁には、一対の第２の溝が形成されていてもよい。一対の第２の溝は、第１の方向に延び、第２の方向において配列されている。この実施形態では、光レセプタクルから延在する一対の光ファイバを一対の第２の溝内に通すことにより、当該一対の光ファイバを、第１の方向に延在させて区画壁を通過させることが可能である。したがって、この光トランシーバには、第３の方向に延びるポートを有する上記の光レセプタクルに代えて、第１の方向に延びるポートを有する光レセプタクルを搭載することも可能である。即ち、この光トランシーバでは、異なる方向に延びるポートを有する異なる光レセプタクルに対して、一つのハウジングを共用することが可能である。
【００１８】
一実施形態においては、光トランシーバは、第１の領域を第２の領域から電磁的に遮蔽するための導電性のシールド部材であり、一対の第２の溝を閉じるように光レセプタクルと第１の壁との間に挟持される当該シールド部材を更に備えていてもよい。この実施形態の光トランシーバによれば、第１の溝に光ファイバを配置したときに、第２の溝を電磁的に遮蔽することが可能である。
【００１９】
一実施形態においては、光レセプタクルは後面を含み、当該後面は、第１の壁の一部分であって一対の第２の溝のうち一方が形成された当該一部分に対面し、シールド部材は、板金製の第１の部材と、弾性を有し第１の部材の一主面に取り付けられたシート状の第２の部材とを含み、シールド部材は第１の部材が後面に接するよう光レセプタクルに取り付けられていてもよい。この実施形態によれば、第１の壁の一部分と後面との間にシールド部材の一部分のみが挟持される場合であっても、第１の部材の剛性により、一対の第２の溝の双方を閉じるように第２の部材を第１の壁に密着させることが可能となる。
【００２０】
一実施形態においては、ハウジングの第１の領域は、第１の方向及び第２の方向に直交する軸線中心に光レセプタクルを回転可能に支持する支持手段を有していてもよい。この実施形態によれば、光レセプタクルのポートの延在方向を第１の方向及び第２の方向の間で任意に傾斜させることが可能である。したがって、この実施形態の光トランシーバは、その前方において、光コネクタプラグの光ファイバケーブルを斜め方向に延在させることが可能である。
【００２１】
一実施形態においては、支持手段は前記軸線に沿って設けられた凸部及び凹部の一方であり、光レセプタクルは、支持手段によって当該光レセプタクルを軸支するための凸部及び凹部の他方を有していてもよい。
【００２２】
一実施形態においては、区画壁は、第２の領域に一対の光ファイバを導くための空間を画成していてもよく、前記軸線に平行な方向における当該空間の長さよりも第２の方向における当該空間の長さが長くてもよい。この実施形態においては、光レセプタクルから延在する一対の光ファイバを、当該空間を介して第２の領域に導くことができる。また、この空間は第２の方向に幅広になっている。すなわち、光レセプタクルの上記軸線中心の回転による光ファイバの揺動を受容するように当該空間は構成されている。したがって、光レセプタクルの回転に伴う光ファイバの移動が阻害されなくなっている。
【００２３】
一実施形態においては、光トランシーバは、一方の開口端及び他方の開口端まで延在する中空のガスケットを含む導電性のシールド部材を更に備えていてもよく、ガスケットは、前記空間において一対の光ファイバが当該ガスケット内を通るように、前記空間に嵌め込まれており、ガスケットは、一方の開口端から他方の開口端までの間において、折り曲げられていてもよい。かかる構成の光トランシーバによれば、区画壁に設けられた空間にガスケットを設けて、当該ガスケットに曲げを与えることにより、当該空間を介した電磁ノイズの伝達を抑制することが可能となる。
【００２４】
一実施形態においては、光トランシーバは、一対の光ファイバの先端に付属した一対のスリーブでありフランジ部と光レセプタクルのポート内に挿入される先端部分とを含む当該一対のスリーブと、光レセプタクルに係合する押え部材と、を更に備えてもよく、光レセプタクルと押え部材が、それらの間にフランジ部を挟持してもよい。この実施形態によれば、押え部材により、光レセプタクルに対するスリーブの位置決めが達成される。
【発明の効果】
【００２５】
以上説明したように、本発明の一側面によれば、光トランシーバの前方における光ファイバケーブル用のスペースを小さくすることが可能な光トランシーバ用のハウジングが提供される。また、本発明の別の一側面によれば、その前方における光ファイバケーブル用のスペースを小さくすることが可能な光トランシーバが提供される。
【図面の簡単な説明】
【００２６】
【図１】一実施形態に係る光トランシーバを示す分解斜視図である。
【図２】一実施形態に係る光トランシーバを、フロントカバー及び第２のハウジングを取り除いて示した斜視図である。
【図３】一実施形態に係る光トランシーバの第１のハウジング及び一対の光ファイバを示す平面図である。
【図４】一実施形態に係るハウジングの第１のハウジングを示す斜視図である。
【図５】一実施形態に係る光レセプタクルを含む光レセプタクルアセンブリを示す図である。
【図６】図５に示す光レセプタクルアセンブリの分解斜視図である。
【図７】一実施形態に係る光レセプタクルを示す斜視図である。
【図８】図５に示す光レセプタクルアセンブリからシールド部材を分離して示す分解斜視図である。
【図９】一実施形態に係るシールド部材の斜視図である。
【図１０】一実施形態に係る光トランシーバの前側部分の拡大斜視図である。
【図１１】一実施形態に係る光トランシーバの前側部分とフロントカバーとを示す図である。
【図１２】一実施形態に係る送信用光ファイバの経路を示す図である。
【図１３】一実施形態に係る受信用光ファイバの経路を示す図である。
【図１４】一実施形態に係る光トランシーバに搭載可能な別の光レセプタクルを示す斜視図である。
【図１５】一実施形態に係る光トランシーバに搭載可能な別の光レセプタクルを示す斜視図である。
【図１６】別の実施形態に係る光トランシーバの前側部分を拡大して示す斜視図である。
【図１７】別の実施形態に係る光トランシーバの前側部分を、フロントカバー及び第２のハウジングを取り除いて示した平面図である。
【図１８】図１７に示す状態から光レセプタクルを回転させた状態を示す光トランシーバの平面図である。
【図１９】別の実施形態に係るハウジングに含まれる第１のハウジングを示す斜視図である。
【図２０】別の実施形態に係る光トランシーバ用の光レセプタクルを示す斜視図である。
【図２１】別の実施形態に係る光トランシーバの前側部分を拡大して示す斜視図である。
【図２２】図２１に示す光トランシーバの破断斜視図である。
【図２３】図１７のＸＸＩＩＩ−ＸＸＩＩＩ線に沿った断面を示す図である。
【図２４】別の実施形態に係る光るトランシーバ用のシールド板を示す斜視図である。
【図２５】別の実施形態に係る光るトランシーバ用のガスケットを示す斜視図である。
【発明を実施するための形態】
【００２７】
以下、図面を参照して本発明の好適な実施形態について詳細に説明する。なお、各図面において同一又は相当の部分に対しては同一の符号を附すこととする。
【００２８】
図１は、一実施形態に係る光トランシーバを示す分解斜視図である。図２は、一実施形態に係る光トランシーバを、フロントカバー及び第２のハウジングを取り除いて示した斜視図である。また、図３は、一実施形態に係る光トランシーバの第１のハウジング及び一対の光ファイバを示す平面図である。
【００２９】
図１、図２、及び図３に示す光トランシーバ１０は、ホストシステムのケージにＺ方向（即ち、第１の方向）に挿入されて用いられるものである。光トランシーバ１０は、ハウジング１２、光レセプタクル１４、複数の光送信サブアセンブリ（ＴＯＳＡ）１６、複数の光受信サブアセンブリ（ＲＯＳＡ）１８、一対の光ファイバＦ１を備えている。
【００３０】
ハウジング１２は、例えば、ステンレス鋼又はアルミニウムといった金属製の部材である。一実施形態においては、ハウジング１２は、上下方向（Ｙ方向）に分離可能であり、ハウジング１２の下側部分を構成する第１のハウジング２０、及び、ハウジング１２の上側部分を構成する第２のハウジング２２を含んでいる。
【００３１】
図４は、一実施形態に係るハウジングの第１のハウジングを示す斜視図である。図４に示すように、一実施形態においては、第１のハウジング２０は、底壁ＢＷ、一対の側壁ＳＷ、及び、前面壁ＦＷを含み得る。底壁ＢＷは、第１のハウジング２０の底部を構成しており、Ｙ方向に交差又は実質的に直交している。一対の側壁ＳＷは、底壁ＢＷのＸ方向における両縁部からＹ方向に立ち上がるように設けられており、Ｘ方向に交差又は実質的に直交している。前面壁ＦＷは、底壁ＢＷのＺ方向における前側縁部から立ち上がるように設けられており、Ｚ方向に交差又は実質的に直交している。前面壁ＦＷは、ホストシステムのフロントパネルに略平行に設けられ得る。なお、本明細書においては、Ｘ方向は幅方向（第２の方向）を示し、Ｙ方向はＸ方向に直交する方向であり上下方向を示し、Ｚ方向はＸ方向及びＹ方向に直交する方向であり前後方向（第１の方向）を示している。
【００３２】
前面壁ＦＷは、Ｘ方向における中央において開口ＯＰ１を画成している。第１のハウジング２０は、この開口ＯＰ１にＺ方向において連続する第１の領域Ｒ１を含んでいる。また、第１のハウジング２０は、第１の領域Ｒ１に加えて、第２の領域Ｒ２、及び、第３の領域Ｒ３を含んでいる。第２の領域Ｒ２は、Ｚ方向おいて第１の領域Ｒ１と第３の領域Ｒ３との間に設けられている。
【００３３】
第１のハウジング２０は、第１の領域Ｒ１を画成する区画壁Ｗ１を有している。区画壁Ｗ１は、第１の壁Ｗ１１、及び、一対の第２の壁Ｗ１２を含んでいる。第１の壁Ｗ１１は、第１の領域Ｒ１をＺ方向において後側から画成しており、Ｚ方向に交差又は実質的に直交している。一対の第２の壁Ｗ１２は、側方、即ちＸ方向から第１の領域Ｒ１を画成している。一対の第２の壁Ｗ１２は、Ｘ方向に交差又は実質的に直交しており、当該Ｘ方向に配列されている。
【００３４】
区画壁Ｗ１には、一対の溝（第１の溝）Ｇ１１が形成されている。溝Ｇ１１は、第３の方向に延びている。この第３の方向は、Ｘ方向とＺ方向の間の方向であり、Ｚ方向に対して傾斜した所定の方向である。これら一対の溝Ｇ１１内には、一対の光ファイバＦ１が配置され得る。
【００３５】
一実施形態においては、区画壁Ｗ１には、別の一対の溝（別の一対の第１の溝）Ｇ１２が形成されている。一対の溝Ｇ１２は、溝Ｇ１１の延在方向、即ち第３の方向とはＺ方向に対して線対称な方向に延びている。
【００３６】
また、一実施形態においては、第１の壁Ｗ１１には、Ｚ方向に延びる一対の溝Ｇ２１が形成されている。一対の溝Ｇ２１には、所謂ＳＣ型の光コネクタプラグと光学的に結合する光レセプタクルから延びるスリーブを配置することができる。したがって、一対の溝Ｇ２１は、ＳＣ型の光コネクタプラグの一対の光ファイバ間のピッチに対応したピッチでＸ方向に配列されている。
【００３７】
また、一実施形態においては、第１の壁Ｗ１１には、Ｚ方向に延びる一対の溝Ｇ２２が、一対の溝Ｇ２１の間に形成されている。一対の溝Ｇ２２には、所謂ＬＣ型の光コネクタプラグと光学的に結合する光レセプタクルから延びる光ファイバを配置することができる。したがって、一対の溝Ｇ２２は、ＬＣ型の光コネクタプラグの一対の光ファイバ間のピッチに対応したピッチでＸ方向に配列されている。
【００３８】
一実施形態においては、一対の溝Ｇ２１及び一対の溝Ｇ２２は、Ｘ方向において一対の溝Ｇ１１及び一対の溝Ｇ１２の間に設けられている。例えば、図４に示すように、一対の溝Ｇ１１は、一対の第２の壁Ｗ１２のうち一方、又は、一対の第２の壁Ｗ１２のうち一方とその近傍の第１の壁Ｗ１１に形成され得る。また、一対の溝Ｇ１２は、一対の第２の壁Ｗ１２のうち他方、又は、一対の第２の壁Ｗ１２のうち他方とその近傍の第１の壁Ｗ１１に形成され得る。
【００３９】
このような区画壁Ｗ１によって画成される第１の領域Ｒ１には、光レセプタクル１４が搭載される。以下、図５〜図９を参照する。図５は、一実施形態に係る光レセプタクルを含む光レセプタクルアセンブリを示す図である。図６は、図５に示す光レセプタクルアセンブリの分解斜視図である。図７は、一実施形態に係る光レセプタクルを示す斜視図である。図７の（ａ）には、ポートの一端側が見えるように示した光レセプタクルの斜視図が示されており、図７の（ｂ）には、ポートの他端側が見えるように示した光レセプタクルの斜視図が示されている。図８は、図５に示す光レセプタクルアセンブリからシールド部材を分離して示す分解斜視図である。また、図９は、一実施形態に係るシールド部材の斜視図である。
【００４０】
光トランシーバ１０は、図５及び図６に示す光レセプタクルアセンブリＡ１４を備え得る。光レセプタクルアセンブリＡ１４は、光レセプタクル１４、一対のスリーブＳ１、押え部材２４、及び、シールド部材２６を含み得る。
【００４１】
図７に示すように、光レセプタクル１４は、一対のポート１４ｐを含んでいる。一対のポート１４ｐはそれぞれ、所定の方向に延びる空間を提供している。一対のポート１４ｐは、光レセプタクル１４がハウジング１２の第１の領域Ｒ１に搭載されたときに、第３の方向に延在するように形成されている。図５及び図６に示すように、一対のポート１４ｐには、それらの一端側から光コネクタプラグが挿入され、他端側からは一対の光ファイバＦ１の先端（一端）に付属するスリーブＳ１が挿入される。ポート１４ｐ内では、一対の光ファイバＦ１と光コネクタプラグの光ファイバとが光学的に結合される。
【００４２】
図６に示すように、スリーブＳ１は、略筒状の部材であり、フランジ部Ｓ１ａと先端部分Ｓ１ｂとを含んでいる。フランジ部Ｓ１ａは、先端部分Ｓ１ｂの直径よりも大きな直径を有している。即ち、フランジ部Ｓ１ａと先端部分Ｓ１ｂとの間には、段差面Ｓ１ｃが設けられている。先端部分Ｓ１ｂはポート１４ｐ内に挿入される。このポート１４ｐ内には、段差面Ｓ１ｃが当接する面が設けられている。
【００４３】
面Ｓ１ｃと反対側のフランジ部Ｓ１ａの面Ｓ１ｄは、押え部材２４によって光レセプタクル１４側に押圧される。押え部材２４は、板金製の部材である。押え部材２４は、第１の部分２４ａ及び四つの第２の部分２４ｂを含み得る。第１の部分２４ａは、スリーブＳ１の面Ｓ１ｄに当接する。この第１の部分２４ａには、一対の光ファイバＦ１を通すための一対の凹部２４ｄが形成されている。
【００４４】
図６に示すように、光レセプタクル１４の外壁面には、複数の突起１４ａが設けられている。押え部材２４の四つの第２の部分２４ｂはそれぞれ、第１の部分２４ａの四つの縁部から光レセプタクル１４の外壁面に沿うように折り曲げられている。これら第２の部分２４ｂには、光レセプタクル１４の複数の突起１４ａが嵌る穴２４ｃが形成されている。穴２４ｃに突起１４ａが嵌ると、押え部材２４は光レセプタクル１４に係合し、当該押え部材２４と光レセプタクル１４との間にフランジ部Ｓ１ａが挟持される。これにより、光レセプタクル１４に対してスリーブＳ１が位置決めされて保持される。
【００４５】
図８に示すように、光レセプタクル１４は、後面１４ｂを更に含み得る。後面１４ｂは、区画壁Ｗ１の第１の壁Ｗ１１に対面する。後面１４ｂは、第１の壁Ｗ１１のうちの一部分のみに対面するサイズを有している。この一部分は、一対の溝Ｇ２１のうち一方及び一対の溝Ｇ２２のうち一方のみが形成されている部分である。かかる後面１４ｂには、シールド部材２６が取り付けられる。
【００４６】
図９に示すように、シールド部材２６は、第１の部材２８及び第２の部材３０を含んでいる。第１の部材２８は、板状の金属材である。また、第２の部材３０は、弾性及び／又は可撓性を有するシート状の部材である。第２の部材３０は、例えば、導電性の不織布により構成される。この第２の部材３０は、第１の部材２８の一方の主面に貼り付けられる。このシールド部材２６は、第１の部材２８の他方の主面が光レセプタクル１４の後面１４ｂに接するように、光レセプタクル１４に取り付けられる。
【００４７】
一実施形態においては、第１の部材２８には、穴２８ａが形成されている。一方、図８に示すように、光レセプタクル１４の後面１４ｂには、突起１４ｅが形成されている。第１の部材２８の穴２８ａに突起１４ｅが嵌り、これにより、シールド部材２６が光レセプタクル１４の後面１４ｂに取り付けられる。
【００４８】
ここで、図５〜図９に加えて、図１０及び図１１を参照する。図１０は、一実施形態に係る光トランシーバの前側部分の拡大斜視図である。図１１は、一実施形態に係る光トランシーバの前側部分とフロントカバーとを示す図である。図５、図８、及び図１０に示すように、シールド部材２６のＸ方向のサイズは、光レセプタクル１４の後面１４ｂのＸ方向のサイズより大きくなっている。即ち、シールド部材２６は、第１の壁Ｗ１１に形成された一対の溝Ｇ２１及び一対の溝Ｇ２２の全てを閉じるように、第１の壁Ｗ１１の略全体に接する。かかるシールド部材２６は、光レセプタクル１４の後面１４ｂと第１の壁Ｗ１１との間に挟持される。より具体的には、シールド部材２６は、光レセプタクル１４からＺ方向の圧力を受けて第１の壁Ｗ１１に当接する。このＺ方向の圧力は、一実施形態では、フロントカバー３２から光レセプタクル１４を介して発揮される。
【００４９】
図１１に示すように、フロントカバー３２は、ハウジング１２の前面壁ＦＷに固定される。例えば、フロントカバー３２は、ねじ留めによってハウジング１２の前面壁ＦＷに固定される。このフロントカバー３２は、Ｚ方向に直交する前面３２ａを有している。この前面３２ａには、光レセプタクル１４の一対のポート１４ｐを外部に露出させるための開口３２ｂが形成されている。フロントカバー３２は、この開口３２ｂのＸ方向の両側において、Ｚ方向に延びる一対の突起（図示せず）を有している。一方、光レセプタクル１４は、一対のポート１４ｐのＸ方向における両側に、Ｚ方向に直交する面１４ｆ及び１４ｇを有している。これら面１４ｆ及び１４ｇは、フロントカバー３２の上述した突起によって押圧され、これにより、上述したＺ方向の圧力が発生される。このＺ方向への圧力により、シールド部材２６の第２の部材３０は、第１の壁Ｗ１１に密着する。
【００５０】
ここで、後面１４ｂと第１の壁Ｗ１１との間にはシールド部材２６の一部分のみが挟持されるが、後面１４ｂと第１の壁Ｗ１１との間に挟持されていない部分においても第２の部材３０は、第１の部材２８の剛性により、第１の壁Ｗ１１に密着する。このように、溝Ｇ２１及びＧ２２を閉じるように第１の壁Ｗ１１にシールド部材２６の第２の部材３０が密着することにより、第１の領域Ｒ１は第２の領域Ｒ２から電磁的に遮蔽される。
【００５１】
再び、図１〜図４を参照する。一実施形態においては、第１のハウジング２０は、第１の領域Ｒ１のＸ方向の両側それぞれに第４の領域Ｒ４を提供している。一方の第４の領域Ｒ４には、光マルチプレクサ３４が搭載され、他方の第４の領域Ｒ４には、光デマルチプレクサ３６が搭載され得る。光マルチプレクサ３４には一対の光ファイバＦ１のうち一方の他端が結合されており、光デマルチプレクサ３６には一対の光ファイバＦ１のうち他方の他端が結合されている。
【００５２】
光トランシーバ１０では、四つのＴＯＳＡ  １６によって異なる波長を有する四つの光信号が電気信号に基づいて発生される。四つのＴＯＳＡ  １６によって発生される四つの光信号は、光マルチプレクサ３４によって一つの光信号（多重化光信号）に多重化される。そのため、光マルチプレクサ３４には、四つのＴＯＳＡ  １６と当該光マルチプレクサ３４とを光学的に結合するための四つの光ファイバＦ２の一端が結合されている。また、四つの光ファイバＦ２の他端はそれぞれ四つのＴＯＳＡ  １６に光学的に結合される。光マルチプレクサ３４によって生成される多重化光信号は、光マルチプレクサ３４から一対の光ファイバＦ１のうち一方を介して、光レセプタクル１４のポート１４ｐに挿入される光コネクタプラグの光ファイバに送信される。なお、上記電気信号は、第３の領域Ｒ３に搭載される回路基板からＴＯＳＡ  １６に与えられ得る。
【００５３】
また、光トランシーバ１０では、光コネクタプラグの光ファイバからの多重化光信号が、一対の光ファイバＦ１のうち他方を介して光デマルチプレクサ３６に送信される。光デマルチプレクサ３６は、多重化光信号を、当該多重化光信号に含まれる異なる波長を有する四つの光信号に分解し、当該四つの光信号をそれぞれ四つのＲＯＳＡ  １８に送信する。そのため、光デマルチプレクサ３６には、四つのＲＯＳＡ  １８と当該光デマルチプレクサ３６とを光学的に結合するための四つの光ファイバＦ３の一端が結合されている。四つの光ファイバＦ３の他端はそれぞれ、四つのＲＯＳＡ  １８に光学的に結合される。四つのＲＯＳＡ  １８はそれぞれ、受信した光信号を電気信号に変換して当該電気信号を回路基板に供給する。
【００５４】
なお、光トランシーバ１０は、４０ＧＨｚ又は１００ＧＨｚの多重化光信号を取り扱うことができる。この場合に、四つのＴＯＳＡ  １６及び四つのＲＯＳＡ  １８はそれぞれ、１０ＧＨｚ又は２５ＧＨｚの光信号及び電気信号を取り扱うことができる。
【００５５】
ＴＯＳＡ  １６及びＲＯＳＡ  １８は、第１のハウジング２０の第２の領域Ｒ２に搭載されている。また、この第２の領域Ｒ２には、フロントトレイ３８、八つのコネクタ４０、並びに、ホルダ４２及び４４が搭載されている。フロントトレイ３８は、Ｚ方向においてコネクタ４０の前側に設けられている。八つのコネクタ４０は、Ｚ方向においてフロントトレイ３８とホルダ４２及び４４の間に設けられている。
【００５６】
ホルダ４２は、四つのＴＯＳＡ  １６を保持するための部材である。ホルダ４２は、第１のハウジング２０に対して固定されている。ホルダ４２は、四つのＴＯＳＡ  １６を保持するための四つのスロットを有している。これら四つのスロットはＸ方向に配列されている。
【００５７】
ホルダ４４は、四つのＲＯＳＡ  １８を保持するための部材である。ホルダ４４は、第１のハウジング２０に対して固定されている。ホルダ４４は、四つのＲＯＳＡ  １８を保持するための四つのスロットを有している。これら四つのスロットはＸ方向に配列されている。
【００５８】
八つのコネクタ４０はそれぞれ、ホルダ４２の四つのスロット及びホルダ４４の四つのスロットに対してＺ方向に整列するように設けられている。八つのコネクタ４０のうち四つのコネクタは、四つの光ファイバＦ２の他端に付属するフェルールＦｆ２を保持し、別の四つのコネクタは、四つの光ファイバＦ３の他端に付属するフェルールＦｆ３を保持する。
【００５９】
八つのコネクタ４０はそれぞれ、第１のハウジング２０に固定されたフロントトレイ３８に対してＺ方向に移動可能であるよう当該フロントトレイ３８に係合されている。八つのコネクタ４０がホルダ４２及びホルダ４４側に移動すると、これらコネクタ４０はホルダ４２及びホルダ４４に係合する。このとき、フェルールＦｆ２及びＦｆ３は、ＴＯＳＡ  １６及びＲＯＳＡ  １８のスリーブ内に挿入され、ＴＯＳＡ  １６及びＲＯＳＡ  １８と光学的に結合する。
【００６０】
一方、これらコネクタ４０がフロントトレイ３８側に移動すると、フェルールＦｆ２及びフェルールＦｆ３とＴＯＳＡ  １６及びＲＯＳＡ  １８との結合が解除される。このとき、フェルールＦｆ２及びフェルールＦｆ３は、ＴＯＳＡ  １６及びＲＯＳＡ  １８に干渉しない位置に退避する。これにより、光トランシーバ１０では、ＴＯＳＡ  １６及びＲＯＳＡ  １８のホルダ４２及びホルダ４４上への配置、及び、ホルダ４２及びホルダ４４からのＴＯＳＡ  １６及びＲＯＳＡ  １８の取り外しが容易に行えるようになっている。
【００６１】
以下、図２、図３、図４、図１２、及び図１３を参照して、光ファイバＦ１、Ｆ２、Ｆ３のハウジング内での経路について説明する。なお、本明細書においては、ＲＯＳＡ  １８に対してＸ方向においてＴＯＳＡ  １６が配置されているハウジング１２内の領域を送信側とよび、ＴＯＳＡ  １６に対してＸ方向においてＲＯＳＡ  １８が配置されているハウジング１２内の領域を受信側ということがある。また、光ファイバＦ２、及び、光マルチプレクサ３４を介してＴＯＳＡ  １６に結合する光ファイバＦ１をそれぞれ、送信用光ファイバＦ２及びＦ１ということがある。さらに、光ファイバＦ３、及び、光デマルチプレクサ３６を介してＲＯＳＡ  １８に結合する光ファイバＦ１をそれぞれ、受信用光ファイバＦ３及びＦ１ということがある。
【００６２】
まず、図２、図３、図４、及び図１２を参照する。送信用光ファイバＦ１は、第１の領域Ｒ１から一対の溝Ｇ１１のうち一方を通り、送信側の側壁ＳＷに沿う位置に向けて配線される。この位置から、送信用光ファイバＦ１は、送信側の側壁ＳＷに沿ってＺ方向に進み第３の領域Ｒ３に到るよう配線される。次いで、第３の領域Ｒ３において、送信用光ファイバＦ１は、Ｚ方向に後方へ向かい、続いて、Ｘ方向において送信側から受信側に向かい、続いてＺ方向に前方へ曲がり、更に、Ｘ方向において受信側から送信側に向かうよう配線される。
【００６３】
図４に示すように、第２の領域Ｒ２の送信側の底壁ＢＷには、Ｚ方向に延在する溝Ｇ１，Ｇ１０１，Ｇ１０２，Ｇ１０３が形成されている。溝Ｇ１は、溝Ｇ１０１，Ｇ１０２，Ｇ１０３に対してＺ方向において後方に設けられている。これら溝Ｇ１０１，Ｇ１０２，Ｇ１０３は、Ｘ方向に配列されており、溝Ｇ１から分岐して、送信側の領域Ｒ４に向けて延びている。
【００６４】
再び図２、図３、図４、及び図１２を参照すると、送信用光ファイバＦ１は、次いで、第３の領域Ｒ３から第２の領域Ｒ２の溝Ｇ１及び溝Ｇ１０２を通り、更に、フロントトレイ３８の下方を通って、光マルチプレクサ３４に結合するよう配線される。
【００６５】
送信用光ファイバＦ２は、光マルチプレクサ３４からＺ方向に後方側へ延び、フロントトレイ３８の下方を通り、次いで、溝Ｇ１０１又は溝Ｇ１０３を通り、更に溝Ｇ１を通って第３の領域Ｒ３に到るよう配線される。
【００６６】
次いで、送信用光ファイバＦ２は、第３の領域Ｒ３において送信側から受信側へと向きを変えて受信側の側壁ＳＷに沿う位置に到るよう配線される。この位置から、送信用光ファイバＦ２は、受信側の側壁ＳＷに沿ってＺ方向に前方へ進むよう配線される。次いで、送信用光ファイバＦ２は、フロントトレイ３８によって案内されて対応するコネクタ４０まで配線される。
【００６７】
なお、フロントトレイ３８は、光ファイバＦ２及びＦ３を対応のコネクタ４０まで案内するためのスロットを有している。これらスロットには、光ファイバＦ２及びＦ３がＹ方向にフロントトレイ３８から浮き上がることを防止するための規制手段が設けられていてもよい。かかる規制手段は、Ｙ方向において上方から光ファイバＦ２及びＦ３に対峙するように設けられ得る。
【００６８】
次に、図２、図３、図４、及び図１３を参照する。受信用ファイバＦ１は、第１の領域Ｒ１から一対の溝Ｇ１１のうち他方を通り、送信側の側壁ＳＷに沿う位置に向けて配線される。この位置から、受信用光ファイバＦ１は、送信側の側壁ＳＷに沿ってＺ方向に進み第３の領域Ｒ３に到るよう配線される。次いで、第３の領域Ｒ３において、受信用光ファイバＦ１は、Ｚ方向に後方へ向かい、続いて、Ｘ方向において送信側から受信側に向かい、更にＺ方向に前方へ曲がるよう、配線される。
【００６９】
図４に示すように、第２の領域Ｒ２の受信側の底壁ＢＷには、Ｚ方向に延在する溝Ｇ２，Ｇ２０１，Ｇ２０２，Ｇ２０３が形成されている。溝Ｇ２は、溝Ｇ２０１，Ｇ２０２，Ｇ２０３に対してＺ方向において後方に設けられている。これら溝Ｇ２０１，Ｇ２０２，Ｇ２０３は、Ｘ方向に配列されており、溝Ｇ２から分岐して、受信側の領域Ｒ４に向けて延びている。
【００７０】
再び図２、図３、図４、及び図１３を参照すると、受信用光ファイバＦ１は、次いで、第３の領域Ｒ３から第２の領域Ｒ２の溝Ｇ２及び溝Ｇ２０２を通り、更に、フロントトレイ３８の下方を通って、光デマルチプレクサ３６に結合するよう配線される。
【００７１】
受信用光ファイバＦ３は、光デマルチプレクサ３６からＺ方向に後方側へ延び、フロントトレイ３８の下方を通り、次いで、溝Ｇ２０１又は溝Ｇ２０３を通り、更に溝Ｇ２を通って第３の領域Ｒ３に到るよう配線される。
【００７２】
次いで、受信用光ファイバＦ３は、第３の領域Ｒ３において受信側から送信側へと向きを変えて送信側の側壁ＳＷに沿う位置に到るよう配線される。この位置から、受信用光ファイバＦ３は、送信側の側壁ＳＷに沿ってＺ方向に前方へ進む。次いで、受信用光ファイバＦ３は、フロントトレイ３８によって案内されて対応するコネクタ４０まで配線される。
【００７３】
光トランシーバ１０では、図２に示すように、第２の領域Ｒ２において、光ファイバＦ２及びＦ３の上に、上述したコネクタ４０、並びにホルダ４２及び４４が配置される。また、第３の領域においては、光ファイバＦ１、Ｆ２及びＦ３の上に、上述した回路基板が配置される。したがって、配線された光ファイバＦ１、Ｆ２、及びＦ３がＹ方向に上方へ浮き上がることが防止され得る。
【００７４】
また、光トランシーバ１０は、光ファイバＦ１、Ｆ２、及びＦ３を引き回すための領域として第３の領域Ｒ３を有している。この第３の領域Ｒ３においては、光ファイバＦ１、Ｆ２、及びＦ３の余長を処理することが可能である。なお、光トランシーバ１０は、第３の領域Ｒ３に光ファイバＦ１、Ｆ２、及びＦ３を案内するための別のトレイを有していてもよい。また、当該別のトレイは、光ファイバＦ１、Ｆ２、及びＦ３の上方への浮き上がりを規制する規制手段を有していてもよい。
【００７５】
以上に説明した光トランシーバ１０によれば、光レセプタクル１４から延在する一対の光ファイバＦ１を一対の第１の溝Ｇ１１内に通すことにより、当該一対の光ファイバＦ１を、第３の方向に延在させて区画壁Ｗ１を通過させることが可能である。したがって、一対の光ファイバＦ１に加わる曲げを抑制しつつ、ポート１４ｐがＺ方向（前後方向）に対して傾斜した方向（即ち、第３の方向）に延在するよう光レセプタクル１４をハウジング１２に搭載することができる。この光レセプタクル１４のポート１４ｐに外部から光コネクタプラグが挿入されると、当該光コネクタプラグの光ファイバケーブルは、光トランシーバ１０、即ち、ホストシステムのフロントパネルの前方において第３の方向に延在することとなる。したがって、この光トランシーバ１０によれば、光トランシーバの前方における光ファイバケーブル用のスペースが小さくなる。
【００７６】
なお、光トランシーバ１０では、光レセプタクル１４を図２等に示す向きからＹ方向に上下反転させて第１のハウジング２０上に搭載することができる。この場合には、一対の光ファイバＦ１を一対の溝Ｇ１１ではなく上述した一対の溝Ｇ１２内に通すことができる。
【００７７】
また、光トランシーバ１０には、図１４及び図１５に示す別の光レセプタクルを搭載することも可能である。図１４及び図１５は、一実施形態に係る光トランシーバに搭載可能な別の光レセプタクルを示す斜視図である。
【００７８】
図１４に示す光レセプタクル１４Ａは、所謂ＬＣ型の光レセプタクルである。この光レセプタクル１４Ａのポート内に挿入された一対のスリーブＳ１Ａからは一対の光ファイバＦ１ＡがＺ方向に延び出している。これら光ファイバＦ１Ａは、第１の壁Ｗ１１の溝Ｇ２２を通り、第２の領域Ｒ２に設けられた溝Ｇ３を通って第３の領域Ｒ３に向けて配線され得る。また、光レセプタクル１４Ａの後面と第１の壁Ｗ１１との間には、第１の領域Ｒ１を第２の領域Ｒ２から電磁的に遮蔽するためのシールド部材２６Ａが挟持される。
【００７９】
図１５に示す光レセプタクル１４Ｂは、所謂ＳＣ型の光レセプタクルである。この光レセプタクル１４Ｂのポート内には一対のスリーブＳ１Ｂの先端部分が挿入されている。一対のスリーブＳ１Ｂの後側部分はＺ方向に延びており、上述した一対の溝Ｇ２１内に配置される。一対のスリーブＳ１Ｂからは光ファイバＦ１ＢがＺ方向に延び出している。これら光ファイバＦ１Ｂは、第２の領域Ｒ２に設けられた溝Ｇ４を通って第３の領域Ｒ３に向けて配線され得る。また、光レセプタクル１４Ｂの後面と第１の壁Ｗ１１との間には、第１の領域Ｒ１を第２の領域Ｒ２から電磁的に遮蔽するためのシールド部材２６Ｂが挟持される。
【００８０】
以上説明したように、光トランシーバ１０には、異なるタイプ又は異なる方向に延びるポートを有する複数の光レセプタクルを交換して搭載することが可能である。即ち、ハウジング１２は、異なるタイプ又は異なる方向に延びるポートを有する複数の光レセプタクルに対して共用され得る。
【００８１】
以下、別の実施形態について説明する。図１６は、別の実施形態に係る光トランシーバの前側部分を拡大して示す斜視図である。図１７は、別の実施形態に係る光トランシーバの前側部分を、フロントカバー及び第２のハウジングを取り除いて示した平面図である。図１８は、図１７に示す状態から光レセプタクルを回転させた状態を示す光トランシーバの平面図である。図１６、図１７、及び、図１８に示す光トランシーバ１０Ｃは、第１の領域Ｒ１において、光レセプタクルを回転可能に搭載する点において、光トランシーバ１０と異なる。即ち、光トランシーバ１０Ｃでは、図１７に示すように、ポートが第１の方向（即ち、Ｚ方向）に延在するように光レセプタクル１４Ｃを配置することができ、また、図１６及び図１８に示すように、ポート１４ｐが第１の方向（即ち、Ｚ方向）と第２の方向（即ち、Ｘ方向）との間の方向に延在するよう光レセプタクル１４Ｃを回転させることが可能である。以下、光トランシーバ１０Ｃに関して光トランシーバ１０と異なる点を説明する。
【００８２】
図１９は、別の実施形態に係るハウジングに含まれる第１のハウジングを示す斜視図である。図１９に示すように、光トランシーバ１０Ｃの第１のハウジング２０Ｃの第１の領域Ｒ１の底壁ＢＷには、凹部Ｄ１が設けられている。この凹部Ｄ１は、Ｚ方向及びＸ方向に実質的に直交する方向（即ち、Ｙ方向）に延在する穴として構成されている。
【００８３】
また、第１のハウジング２０Ｃの区画壁Ｗ１の第１の壁Ｗ１１は、空間ＳＰ１を画成している。一実施形態においては、空間ＳＰ１を画成するために、第１の壁Ｗ１１のＹ方向における高さは、第２の壁Ｗ１２の高さよりも低くなっている。このように提供される空間ＳＰ１は、第１の領域Ｒ１と第２の領域Ｒ２とを接続する。この空間ＳＰ１は、光レセプタクル１４Ｃから延在する一対の光ファイバＦ１を第２の領域Ｒ２に導くために設けられており、光レセプタクル１４Ｃの回転に伴う一対の光ファイバＦ１の揺動を受容するようになっている。このため、一実施形態においては、Ｘ方向における空間ＳＰ１の長さは、Ｙ方向における空間ＳＰ１の長さよりも長くなっている。即ち、空間ＳＰ１は、Ｘ方向に幅広となるように構成されている。
【００８４】
さらに、第１のハウジング２０Ｃの第２の領域Ｒ２には、溝Ｇ３及び溝Ｇ４に変わる一対の溝Ｇ５が設けられている。これら一対の溝Ｇ５は、光レセプタクル１４Ｃから延在する一対の光ファイバＦ１を第３の領域Ｒ３に向けて配線するための溝であり、第２の領域Ｒ２においてＺ方向に延在するように形成されている。一実施形態においては、溝Ｇ５は、その前方端において、当該前方端よりも後側の部分よりも幅広となるように、開口している。即ち、溝Ｇ５の前方端はテーパー状に形成されている。かかる形状に構成されることにより、溝Ｇ５は、光レセプタクル１４Ｃの回転に伴う一対の光ファイバＦ１の揺動を受容するようになっている。
【００８５】
図２０は、別の実施形態に係る光トランシーバ用の光レセプタクルを示す斜視図である。図２０に示すように、光トランシーバ１０Ｃ用の光レセプタクル１４Ｃは、その一面に凸部Ｐ１を有している。この凸部Ｐ１は、Ｙ方向に延びる軸線に沿って延在する円柱形状を有しており、第１のハウジング２０Ｃの凹部Ｄ１に挿入される。この凸部Ｐ１が凹部Ｄ１に挿入されることにより、光レセプタクル１４Ｃは、Ｙ方向に延びる軸線中心に回転可能となる。これにより、光トランシーバ１０Ｃでは、光レセプタクル１４Ｃのポート１４ｐの向きを、第１の方向（即ち、Ｚ方向）と第２の方向（即ち、Ｘ方向）の間の任意の方向に変更することが可能となっている。
【００８６】
上述した実施形態と同様に、光レセプタクル１４Ｃは、一端側、即ち前側端の開口（図１６を参照）からポート１４ｐに挿入される外部光コネクタプラグを受容する。ポート１４ｐには、当該ポート１４ｐの多端からスリーブＳ１が挿入されており、当該スリーブＳ１に保持されている光ファイバＦ１と外部光コネクタプラグの光ファイバとは、ポート１４ｐ内で光学的に結合される。図２０に示すように、光レセプタクル１４Ｃには、押さえ部材２４が係合されている。この押さえ部材２４は、光レセプタクル１４Ｃと当該押さえ部材２４との間にスリーブＳ１を挟持し、これにより、ポート１４ｐ内でのスリーブＳ１の位置を決定する。
【００８７】
図２１は、別の実施形態に係る光トランシーバの前側部分を拡大して示す斜視図である。図２２は、図２１に示す光トランシーバの破断斜視図である。図２３は、図１７のＸＸＩＩＩ−ＸＸＩＩＩ線に沿った断面を示す図である。図２１〜図２３に示すように、一実施形態においては、光トランシーバ１０Ｃは、第１の領域Ｒ１と第２の領域Ｒ２との間における電磁ノイズの伝達を抑制するために、シールド部材５０を更に備え得る。
【００８８】
以下、図２１〜図２３に加えて、図２４及び図２５を参照する。図２４は、別の実施形態に係る光るトランシーバ用のシールド板を示す斜視図であり、図２５は、別の実施形態に係る光るトランシーバ用のガスケットを示す斜視図である。一実施形態においては、シールド部材５０は、シールド板５２及びガスケット５４を含んでいる。図２４に示すように、シールド板５２は、金属板から構成される導電性の部材であり、第１の部分５２ａと一対の第２の部分５２ｂとを含み得る。このシールド板５２は、図２１〜図２３に示すように、第１の部分５２ａが第１の壁Ｗ１１に沿い、一対の第２の部分５２ｂが第２の壁Ｗ１２に沿うように、第１の領域Ｒ１に設けられる。このシールド板５２により、区画壁Ｗ１に形成された各種の溝が閉じられ、第１の領域Ｒ１と第２の領域Ｒ２との間の電磁ノイズの伝達が抑制され得る。また、このシールド板５２には、区画壁Ｗ１によって画成される空間ＳＰ１に連続するように、開口５２ｈが形成されている。
【００８９】
図２５に示すように、ガスケット５４は、導電性を有する筒状の部材であり、一方の開口端５４ａから他方の開口端５４ｂまで延在している。ガスケット５４は、例えば導電性及び弾性を有する材料から構成される。図２１〜図２３に示すように、ガスケット５４の一方の開口端５４ａは、シールド板５２の開口５２ｈ内に嵌め込まれている。ガスケット５４は、Ｘ方向に幅広の形状を有しており、区画壁Ｗ１によって画成された空間ＳＰ１を通って第２の領域Ｒ２まで延在している。ガスケット５４の内孔には、光レセプタクル１４Ｃから延在する一つの光ファイバＦ１が通される。また、ガスケット５４には、一方の開口端５４ａから他方の開口端５４ｂまでの間において曲げが与えられている。これにより、ガスケット５４は、その内孔を介した第１の領域Ｒ１と第２の領域Ｒ２との間の電磁ノイズの伝達を抑制することを可能としている。
【００９０】
以上説明した光トランシーバ１０Ｃによれば、第１の領域Ｒ１において光レセプタクル１４を回転させることにより、ポート１４ｐの延在方向を一定の角度範囲内において傾斜させることが可能である。したがって、光トランシーバ１０Ｃによれば、その前方において光コネクタプラグの光ファイバケーブルを斜め方向に延在させることが可能である。その結果、その結果、光トランシーバ１０Ｃの前方における光ファイバケーブル用のスペースが小さくなる。
【００９１】
種々の実施形態に係る光トランシーバ及びハウジングについて説明してきたが、上述した実施形態に限定されることなく種々の変形態様を構成可能である。例えば、光トランシーバ１０Ｃでは、第１のハウジング２０Ｃに凹部Ｄ１を設けて、光レセプタクル１４Ｃに凸部Ｐ１を設けることにより、光レセプタクル１４Ｃの回転を実現させているが、第１のハウジング２０Ｃに凸部を設け、当該凸部が挿入される凹部を光レセプタクル１４Ｃに設けてもよい。
【符号の説明】
【００９２】
１０…光トランシーバ、１２…ハウジング、Ａ１４…光レセプタクルアセンブリ、１４…光レセプタクル、１６…光送信サブアセンブリ（ＴＯＳＡ）、１８…光受信サブアセンブリ、２０…第１のハウジング、２２…第２のハウジング、２４…押え部材、２６…シールド部材、２８…第１の部材、３０…第２の部材、３２…フロントカバー、３４…光マルチプレクサ、３６…光デマルチプレクサ、３８…フロントトレイ、４０…コネクタ、４２，４４…ホルダ、Ｗ１…区画壁、Ｗ１１…第１の壁、Ｗ１２…一対の第２の壁、Ｇ１１…一対の溝（一対の第１の溝）、Ｇ１２…一対の溝（別の一対の第１の溝）、Ｇ２１，Ｇ２２…一対の溝（一対の第２の溝）、Ｓ１…一対のスリーブ。
【図１】
0005973745.tif 000002
【図２】
0005973745.tif 000003
【図３】
0005973745.tif 000004
【図４】
0005973745.tif 000005
【図５】
0005973745.tif 000006
【図６】
0005973745.tif 000007
【図７】
0005973745.tif 000008
【図８】
0005973745.tif 000009
【図９】
0005973745.tif 000010
【図１０】
0005973745.tif 000011
【図１１】
0005973745.tif 000012
【図１２】
0005973745.tif 000013
【図１３】
0005973745.tif 000014
【図１４】
0005973745.tif 000015
【図１５】
0005973745.tif 000016
【図１６】
0005973745.tif 000017
【図１９】
0005973745.tif 000018
【図１７】
0005973745.tif 000019
【図１８】
0005973745.tif 000020
【図２０】
0005973745.tif 000021
【図２１】
0005973745.tif 000022
【図２２】
0005973745.tif 000023
【図２３】
0005973745.tif 000024
【図２４】
0005973745.tif 000025
【図２５】
0005973745.tif 000026